(57)【特許請求の範囲】
【請求項１】
加速器系制御装置により制御される加速器系で加速された粒子線を、照射系制御装置により制御され回転ガントリに搭載された照射系で患者に照射して治療を行う粒子線治療装置において、
上記加速器系に配置され、それぞれ大きさの異なる所定値以上の地震を検出する２つの地震検知器を有する地震計、
この地震計により検出された地震情報を受信して上記加速器系及び上記照射系を停止させるとともに上記回転ガントリを停止させるように構成され、上記検出された地震が大きい方の所定値以上の地震の場合には上記地震情報を通知する停止装置、
及びこの停止装置によって通知された上記地震情報に応じて、治療中の患者のデータを他の地域の粒子線治療装置に転送する治療連携サーバを備えたことを特徴とする粒子線治療装置。
【発明の詳細な説明】
【技術分野】
【０００１】
この発明は、加速器系内部に大きさの異なる２つの地震を検出する地震計を設けて、地震発生時に治療の停止を安全に行う粒子線治療装置に関するものである。
【背景技術】
【０００２】
従来の粒子線治療装置の停止装置は、治療技師の地震の認知により、その判断により粒子線治療装置の停止を行っている。
また、特許文献１の放射線治療装置では、治療装置の電子線搬送経路の変位検出により放射線治療装置の停止を行っている。
また、特許文献２の放射線治療用ベッドシステムでは、治療台がブレーキ作動によりスライドベース上で停止中に治療台が移動した場合は、治療台がスライドしないよう突出ピンで固定している。
また、特許文献３の粒子線治療設備のガントリ装置では、自重が極めて大きいため、据付後、前後傾することなく地震時でも回転するようにしている。
【先行技術文献】
【特許文献】
【０００３】
【特許文献１】特開平１１−１３７６９９号公報（第３〜４頁、図１）
【特許文献２】特開平１１−３１３９００号公報（第５〜８頁、図２）
【特許文献３】特開２０００−１４０１３４号公報（第３〜６頁、図１）
【発明の概要】
【発明が解決しようとする課題】
【０００４】
従来の粒子線治療装置の停止装置は、治療技師の地震の認知により、その判断で粒子線治療装置の停止を行うので、安全な停止にばらつきがあるという問題があった。
また、特許文献１の放射線治療装置では、電子線搬送経路の変位検出により放射線治療装置を停止する場合は、機器の位置ずれが発生しないと停止情報の検出ができないという問題があった。
また、特許文献２の放射線治療用ベッドシステムでは、治療台がスライドしないよう突出ピンで固定して停止させるため、停止した後の治療台は定位置に戻らないという問題がある。
また、特許文献３の粒子線治療設備のガントリ装置では、地震時も回転し、装置自身で停止しないという問題がある。
【０００５】
この発明は、上記のような課題を解決するためになされたものであり、地震時に正常に停止するようにした粒子線治療装置を得ることを目的としている。
【課題を解決するための手段】
【０００６】
この発明に係わる粒子線治療装置においては、加速器系制御装置により制御される加速器系で加速された粒子線を、照射系制御装置により制御され回転ガントリに搭載された照射系で患者に照射して治療を行う粒子線治療装置において、加速器系に配置され、それぞれ大きさの異なる所定値以上の地震を検出する２つの地震検知器を有する地震計、この地震計により検出された地震情報を受信して加速器系及び照射系を停止させるとともに回転ガントリを停止させるように構成され、検出された地震が大きい方の所定値以上の地震の場合には地震情報を通知する停止装置、及びこの停止装置によって通知された地震情報に応じて、治療中の患者のデータを他の地域の粒子線治療装置に転送する治療連携サーバを備えたものである。
【発明の効果】
【０００７】
この発明は、以上説明したように、加速器系制御装置により制御される加速器系で加速された粒子線を、照射系制御装置により制御され回転ガントリに搭載された照射系で患者に照射して治療を行う粒子線治療装置において、加速器系に配置され、それぞれ大きさの異なる所定値以上の地震を検出する２つの地震検知器を有する地震計、この地震計により検出された地震情報を受信して加速器系及び照射系を停止させるとともに回転ガントリを停止させるように構成され、検出された地震が大きい方の所定値以上の地震の場合には地震情報を通知する停止装置、及びこの停止装置によって通知された地震情報に応じて、治療中の患者のデータを他の地域の粒子線治療装置に転送する治療連携サーバを備えたので、地震により、粒子線治療装置が異常になる前に正常に停止することができる。
【図面の簡単な説明】
【０００８】
【図１】この発明の実施の形態１による粒子線治療装置を示す構成図である。
【図２】この発明の実施の形態１による粒子線治療装置の地震計を示す構成図である。
【図３】この発明の実施の形態１による粒子線治療装置の詳細な構成と地震情報の流れを示す図である。
【図４】この発明の実施の形態２による粒子線治療装置を示す構成図である。
【図５】この発明の実施の形態２による粒子線治療装置の詳細な構成と地震情報の流れを示す図である。
【図６】この発明の実施の形態３による粒子線治療装置を示す構成図である。
【図７】この発明の実施の形態３による粒子線治療装置の詳細な構成と地震情報の流れを示す図である。
【発明を実施するための形態】
【０００９】
実施の形態１．
以下、この発明の実施の形態１について説明する。
図１は、この発明の実施の形態１による粒子線治療装置を示す構成図である。
図１において、粒子線治療装置１には、粒子線治療装置１を停止させる停止装置４が配置されている。地震計３は、加速器系１０１に配置され、地震２の発生を検知して、停止装置４に地震情報を送る。停止装置４は、地震計３からの地震情報を受けて加速器系制御装置の停止回路５及び照射系制御装置の停止回路６に地震情報を送信するとともに、地震大のときは治療連携サーバ１１０にも地震情報を伝える。
加速器系制御装置の停止回路５は、地震情報の受信により加速器系制御装置を停止させる。照射系制御装置の停止回路６は、地震情報の受信により照射系制御装置を停止させる。治療連携サーバ１１０は、ＷＡＮ（ｗｉｄｅ  ａｒｅａ  ｎｅｔｗｏｒｋ）１１３を介して他の地域の粒子線治療装置１１２の治療連携サーバ１１１と接続され、地震時には、患者ファイルサーバ１０９より、治療中の患者の治療進捗データ（患者ファイル）を取出して送信する。
【００１０】
図２は、この発明の実施の形態１による粒子線治療装置の地震計を示す構成図である。
図２において、地震計３は、地震計台座３０５の上に地震小検知器３０１と地震大検知器３０２とを有し、それぞれ内側に錘棒３０３、錘棒３０４を設けている。地震小検知器３０１は、動作加速度以上（小さい方の所定値）の水平加速度が加わると錘棒３０３が地震小検知器３０１に触れることで地震小を検知する。また、地震大検知器３０２は、動作加速度以上（大きい方の所定値）の水平加速度が加わると錘棒３０４が地震大検知器３０２に接触することで地震大を検知する。
なお、地震計３は、加速器系１０１の基礎コンクリートに堅牢に固定されている。また、地震計３は、上述のような錘棒式以外のものでも構わない。ここで、地震小は、粒子線治療装置に異常を起こさないような地震であり、地震大は、粒子線治療装置に異常を起こすような地震である。
【００１１】
図３は、この発明の実施の形態１による粒子線治療装置の詳細な構成と地震情報の流れを示す図である。
図３において、１、３〜６、１０９〜１１３は図１におけるものと、３０１、３０２は図２におけるものとそれぞれ同一のものである。
加速器系制御装置１０２は、加速器系１０１を制御する。照射系制御装置１０５は、照射系１０４を制御する。照射系１０４は、加速器系１０１から加速された粒子線のビームライン１０３を、回転ガントリ１０６により治療台１０７にいる患者に照射する。マンマシンＩ／Ｆ（インタフェース）１０８は、操作員に画面表示するとともに、操作員の入力操作を受付ける。
治療連携サーバ１１０と、マンマシンＩ／Ｆ１０８及び患者ファイルサーバ１０９とは、ＬＡＮ１１４によって接続され、マンマシンＩ／Ｆ１０８及び患者ファイルサーバ１０９と、加速器系制御装置１０２及び停止装置４及び照射系制御装置１０５とは、ＬＡＮ１１６によって接続され、停止装置４と治療連携サーバ１１０とはＬＡＮ１１５によって接続され、停止装置４と加速器系制御装置１０２及び照射系制御装置１０５とは直接信号線で接続されている。
【００１２】
地震計３の地震小検出器３０１及び地震大検出器３０２は、停止装置４と直接信号線で接続され、加速器系制御装置１０２と加速器系１０１とは直接信号線で接続され、照射系制御装置１０５と照射系１０４とは直接信号線で接続されている。
地震小情報３０６は、地震小検知器３０１から停止装置４に伝えられ、さらに加速器系制御装置の停止回路５及び照射系制御回路の停止回路６に伝えられる。地震大情報３０７は、地震小検知器３０２から停止装置４に伝えられ、さらに加速器系制御装置の停止回路５及び照射系制御回路の停止回路６並びに治療連携サーバ１１０に伝えられる。
【００１３】
次に、動作について説明する。
実施の形態１は、停止装置４に地震を知らせるための地震計３を粒子線治療装置内部の加速器系１０１に配置して、地震の大きさを検知し、地震の大きさに応じて粒子線治療装置１を正常に停止させる例についてのものである。
粒子線治療装置１は、地震２が発生するとそれを地震計３で検知し、地震小情報３０６または地震大情報３０７を停止装置４へ送る。停止装置４は、地震小または地震大の場合、加速器系制御装置の停止回路５と照射系制御装置の停止回路６に、地震小情報３０６または地震大情報３０７を停止情報として同時に出力し、粒子線治療装置１の加速器系１０１と照射系１０４を同時に停止する。このとき、治療中位置の治療台１０７は、治療開始前の定位置に戻す。また、停止装置４は、地震情報をＬＡＮ１１６を介してマンマシンＩ／Ｆ１０８にも出力する。
次に、地震大が検知された場合、停止装置４は、治療連携サーバ１１０に地震大情報３０７を通知し、治療連携サーバ１１０は、それにより患者ファイルサーバ１０９より治療中の患者ファイルを取出して、ＷＡＮ１１３を介して、他の地域の粒子線治療装置１１２内の治療連携サーバ１１１へ送信する。
【００１４】
実施の形態１によれば、地震小の検知を行うことで、放射線治療装置が異常になる前に正常に停止することができる。
また、地震小の検知により、放射線治療装置を正常に停止させ、治療中位置の治療台は治療開始前の定位置に戻して、ビームラインの先端と治療台の距離を最大となるようにし、地震の揺れによるビームラインの先端と治療台との接触を回避できるようにする。
また、回転ガントリを停止させることができ、よりフェールセーフにすることができる。
さらに、地震大が検知された場合には、他の地域の粒子線治療装置に患者ファイルを転送して、連携を取ることができる。
【００１５】
なお、地震情報により自動で装置の停止を行うか否かの選択スイッチを設けても構わない。また、地震情報により自動で患者ファイルの転送を行うか否かの選択スイッチを設けても構わない。
【００１６】
実施の形態２．
実施の形態１では、地震計を加速器系に設けた粒子線治療装置について述べたが、実施の形態２は、粒子線治療装置外部の地震情報により粒子線治療装置を停止する例についてのものである。
図４は、この発明の実施の形態２による粒子線治療装置を示す構成図である。
図４において、１、４〜６、１０９〜１１３は図１におけるものと同一のものである。
地震情報端末２０２は、粒子線治療装置１に配置され、外部の地震情報サーバ２０１から地震大情報２０３をＷＡＮ１１３を介して受信する。
【００１７】
図５は、この発明の実施の形態２による粒子線治療装置の詳細な構成と地震情報の流れを示す図である。
図５において、１、４〜６、１０１〜１１６は図３におけるものと同一のものである。地震情報サーバ２０１は、地震大情報２０３を地震情報端末２０２に送信し、地震情報端末２０２は、地震大情報２０３を選別して、所定値以上の大きさの地震の地震情報であれば、停止装置４に地震大情報２０３を伝えるようになっている。
地震情報サーバ２０１と地震情報端末２０２はＷＡＮ１１３で接続され、地震情報端末２０２と停止装置４は、ＬＡＮ１１５で接続され、停止装置４は、加速器系制御装置１０２と照射系制御装置１０５とに直接信号線で接続されている。
【００１８】
次に、動作について説明する。
粒子線治療装置外の地震情報サーバ２０１が、地震大を検知した場合、ＷＡＮ１１３を介して地震情報端末２０２に地震大情報２０３を送信する。地震情報端末２０２は、地震大情報２０３を選別して、所定値以上の大きさの地震の地震情報であれば、地震大情報２０３を停止装置４に送信する。
停止装置４は、地震大情報２０３を受信すると、加速器系制御装置の停止回路５と照射系制御装置の停止回路６に停止情報として地震大情報２０３を同時に出力し、粒子線治療装置１の加速器系１０１と照射系１０４を同時に停止する。また、このとき、同時にＬＡＮ１１６へも地震大情報２０３を出力する。
次に、停止装置４は、治療連携サーバ１１０に地震大情報２０３を通知し、治療連携サーバ１１０は、それにより患者ファイルサーバ１０９より治療中の患者ファイルを取出して、ＷＡＮ１１３を介して他の地域の粒子線治療装置１１２内の治療連携サーバ１１１へ送信する。
【００１９】
実施の形態２によれば、外部から地震大情報を得て、確実に加速器系及び照射系を停止することができ、安全性を高めることができるとともに、他の地域の粒子線治療装置と連携することができる。
【００２０】
実施の形態３．
実施の形態２では、粒子線治療装置外部の地震情報を受信する地震情報端末を設ける構成について述べたが、実施の形態３では、マンマシンＩ／Ｆ内に地震情報端末機能を設けて、粒子線治療装置外部の地震情報により粒子線治療装置を停止する例についてのものである。
また、実施の形態１と実施の形態２では、患者ファイルを他の地域の粒子線治療装置へ送信する治療連携サーバを設ける構成について述べたが、実施の形態３では、患者ファイルサーバ内に治療連携サーバ機能を設け、この治療連携サーバ機能により患者ファイルを他の地域の粒子線治療装置へ送信する。
【００２１】
図６は、この発明の実施の形態３による粒子線治療装置を示す構成図である。
図６において、１、４〜６、１０９、１１２、１１３、２０１、２０３は図４におけるものと、１０８は図５におけるものとそれぞれ同一のものである。図６では、地震情報端末機能２０２ａはマンマシンＩ／Ｆ１０８内に設けられ、治療連携サーバ機能１１０ａが患者ファイルサーバ１０９内に設けられている。また、他の地域の粒子線治療装置１１２の患者ファイルサーバ１１７内に治療連携サーバ機能１１１ａが設けられている。
【００２２】
図７は、この発明の実施の形態３による粒子線治療装置の詳細な構成と地震情報の流れを示す図である。
図７において、１、４〜６、１０１〜１０９、１１２、１１３、１１６、２０１、２０３は図５におけるものと、１１０ａ、１１１ａ、２０２ａは図６におけるものとそれぞれ同一のものである。
地震情報サーバ２０１とマンマシンＩ／Ｆ１０８は、ＷＡＮ１１３で接続され、マンマシンＩ／Ｆ１０８と停止装置４は、ＬＡＮ１１６で接続され、停止装置４と患者ファイルサーバ１０９は、ＬＡＮ１１６で接続されている。さらに、停止装置４は、加速器系制御装置１０２と照射系制御装置１０５とに直接信号線で接続されている。
【００２３】
次に、動作について説明する。
粒子線治療装置１は、粒子線治療装置外の地震情報サーバ２０１が地震大を検知した場合、ＷＡＮ１１３を介してマンマシンＩ／Ｆ１０８内の地震情報端末機能２０２ａに地震大情報２０３を送信する。
地震情報端末機能２０２ａは、地震大情報２０３を選別して、所定値以上の大きさの地震の地震情報であれば、停止装置４に地震大情報２０３を送信する。
停止装置４は、地震大情報２０３を受信すると、加速器系制御装置の停止回路５と照射系制御装置の停止回路６に停止情報として地震大情報２０３を同時に出力し、粒子線治療装置の加速器系１０１と照射系１０４を同時に停止する。
次に、停止装置４は、患者ファイルサーバ１０９内の治療連携サーバ機能１１０ａに地震大情報２０３を通知し、治療連携サーバ機能１１０ａは、それにより患者ファイルサーバ１０９内の治療中の患者ファイルをＷＡＮ１１３を介して、他の地域の粒子線治療装置１１２の患者ファイルサーバ１１７内の治療連携サーバ機能１１１ａへ送信する。
【００２４】
実施の形態３によれば、地震情報端末や治療連携サーバを他の機能に組み込むことにより、実施の形態２の効果を有する粒子線治療装置をコンパクトに構成することができる。
【００２５】
なお、本発明は、その発明の範囲内において、各実施の形態を自由に組み合わせたり、各実施の形態を適宜、変形、省略することが可能である。
【符号の説明】
【００２６】
１  粒子線治療装置
２  地震
３  地震計
４  停止装置
５  加速器系制御装置の停止回路
６  照射系制御装置の停止回路
１０１  加速器系
１０２  加速器系制御装置
１０３  ビームライン
１０４  照射系
１０５  照射系制御装置
１０６  回転ガントリー
１０７  治療台
１０８  マンマシンＩ／Ｆ
１０９  患者ファイルサーバ
１１０  治療連携サーバ
１１０ａ  治療連携サーバ機能
１１１  治療連携サーバ
１１１ａ  治療連携サーバ機能
１１２  他の地域の粒子線治療装置
１１３  ＷＡＮ
１１４  ＬＡＮ
１１５  ＬＡＮ
１１６  ＬＡＮ
１１７  患者ファイルサーバ
２０１  地震情報サーバ
２０２  地震情報端末
２０２ａ  地震情報端末機能
２０３  地震大情報
３０１  地震小検知器
３０２  地震大検知器
３０３  錘棒
３０４  錘棒
３０５  地震計台座
３０６  地震小情報
３０７  地震大情報
【図１】
0005511904.tif 000002
【図２】
0005511904.tif 000003
【図３】
0005511904.tif 000004
【図４】
0005511904.tif 000005
【図５】
0005511904.tif 000006
【図６】
0005511904.tif 000007
【図７】
0005511904.tif 000008